(57)【特許請求の範囲】
【請求項１】
細胞成分を含む採取されたタンパク質溶液を貯留する貯留容器と、
前記貯留容器内のタンパク質溶液中に存在する前記細胞成分を分離可能な中空糸膜型の腹水濾過用フィルタと、
一端が前記貯留容器に接続され他端が前記腹水濾過用フィルタの入口に接続された第１の流路と、
限外濾過性能が85mL〜150mL／分／200mmHgであり親水性高分子が付与されたポリスルホン系中空糸膜型の腹水濃縮用フィルタと、
前記腹水濾過用フィルタの濾過側出口に接続され、他端が前記腹水濃縮用フィルタの入口に接続された第２の流路と、
前記腹水濾過用フィルタの出口に接続された第３の流路と、
前記腹水濃縮用フィルタで濃縮されたタンパク質溶液を回収する回収容器と、
一端が前記腹水濃縮用フィルタの出口に接続され、他端が前記回収容器に接続された第４の流路と、
前記腹水濃縮用フィルタの濾過側出口に接続された第５の流路と、
を備えた、腹水濾過濃縮装置。
【請求項２】
前記貯留容器内に貯留された前記タンパク質溶液を前記第１の流路を通して前記腹水濾過用フィルタに送液し、前記細胞成分が除去された濾過済タンパク質溶液を前記腹水濾過用フィルタの濾過側出口から前記第２の流路に送出させるとともに、前記細胞成分を含む溶液を前記腹水濾過用フィルタの出口から第３の流路に排出させるステップと、
前記第２の流路に送出された前記濾過済タンパク質溶液を前記腹水濃縮用フィルタに送液し、濃縮された濃厚タンパク質溶液を前記腹水濃縮用フィルタの出口から第４の流路に送出させるとともに、水溶液を前記腹水濃縮用フィルタの濾過側出口から第５の流路に水溶液を排出させるステップと、
前記第４の流路に送出された前記濃厚タンパク質溶液を、前記回収容器に回収するステップと、を行い、
前記第１〜第５の流路のうちの少なくとも１つの流路の流量を制御する制御手段を更に備える、請求項１に記載の腹水濾過濃縮装置。
【請求項３】
前記制御手段は、前記第１の流路に設けられた送液ポンプを含む、請求項２に記載の腹水濾過濃縮装置。
【請求項４】
前記腹水濾過用フィルタは、該腹水濾過用フィルタの入口における液体の落差圧が前記貯留容器と前記第１の流路との接続部における液体の落差圧よりも低くなるような位置に配置され、かつ、
前記回収容器は、該回収容器と前記第４の流路との接続部における液体の落差圧が前記腹水濃縮用フィルタの出口における液体の落差圧よりも低くなるような位置に配置された、請求項１に記載の腹水濾過濃縮装置。
【請求項５】
前記腹水濃縮用フィルタは、該腹水濃縮用フィルタの入口における液体の落差圧が前記腹水濾過用フィルタの濾過側出口における液体の落差圧と等しくなるような位置に配置された、請求項４に記載の腹水濾過濃縮装置。
【請求項６】
前記腹水濃縮用フィルタは、該腹水濃縮用フィルタの入口における液体の落差圧が前記腹水濾過用フィルタの濾過側出口における液体の落差圧よりも低くなるような位置に配置された、請求項４に記載の腹水濾過濃縮装置。
【請求項７】
前記腹水濃縮用フィルタの限外濾過性能が腹水の濃縮処理に最適なものであることから、腹水の濃縮が１回で足り、追加濃縮工程を必要としないことを特徴とする、請求項１〜６のいずれか１項に記載の腹水濾過濃縮装置。
【請求項８】
前記腹水濃縮用フィルタによる１回の濃縮で、タンパク質濃度を５倍以上に濃縮することが可能なことを特徴とする、請求項１〜７のいずれか１項に記載の腹水濾過濃縮装置。
【請求項９】
前記腹水濃縮用フィルタによる１回の濃縮で、タンパク質濃度が７ｇ／ｄｌ以上の濃厚タンパク質溶液を得られることを特徴とする、請求項１〜８のいずれか１項に記載の腹水濾過濃縮装置。
【発明の詳細な説明】
【技術分野】
【０００１】
本発明は、腹水を濾過濃縮する装置及び高濃度タンパク質溶液の製造方法に関する。
【背景技術】
【０００２】
従来、肝硬変などの腹水や胸水（以下、腹水と総称する）の溜まり易い患者に対して、腹水中のタンパク質を利用して患者の血中タンパク質濃度を上昇させるため、貯留部に針を刺し体外に排出した腹水を、中空糸膜などを用いた２種のフィルタにより濾過濃縮処理し、濃厚タンパク質溶液を得、これを患者に点滴する腹水濾過濃縮再静注法が行われている（例えば、特許文献１参照）。２種のフィルタの１つ目は腹水中に含まれるがん細胞、血球成分などの細胞成分を除くための濾過フィルタであり、細胞成分を通過させず、水分、タンパク質などの溶質成分は通過させるような孔径を有する膜が用いられる。一方もうひとつのフィルタは希薄なタンパク質濃度である腹水から除水し、タンパク質を濃縮するための濃縮フィルタであり、タンパク質成分はほとんど通過せず、水分、電解質などは通過させる膜が用いられる。通常、利便性の観点から、濾過器で細胞成分を濾別した腹水を濃縮器で濃縮する方法が取られ、これらを連続して行う装置が用いられる。
【先行技術文献】
【特許文献】
【０００３】
【特許文献１】特開２００９−２９７２４２号公報
【発明の概要】
【発明が解決しようとする課題】
【０００４】
患者に投与するタンパク質溶液は、投与後患者の血中タンパク質濃度を増加させる目的もあるため、ある程度高い濃度であることが必要となるが、そのために高い濃縮倍率になるよう濃縮する必要がある。処理する腹水のタンパク質濃度が濃くなると、濃縮用フィルタはタンパク質により目詰まりし、濃縮速度が低下してしまい、目標とする濃縮倍率に濃縮できない場合がある。このような場合、一旦濃縮不十分の状態でタンパク質溶液を回収し、追加で濃縮するといった非常に煩雑な工程を経る必要があり、さらに場合によっては濃縮用フィルタを新しいものと交換する必要があるため、施行者にとり、作業面、作業時間で負担のかかるものである上、経済面の不利益もある。また、患者にとってもタンパク質溶液が投与されるまでの拘束時間が長くなるという不利益がある。
【０００５】
一方、腹水が貯留する患者は、大別すると肝硬変などの疾患が元で貯留する肝性腹水患者と、胃癌、卵巣癌、大腸癌などの癌が元で貯留する癌性腹水患者に分けられる。従来、本治療は主に肝性腹水患者に対して施行されることがほとんどであったが、近年、癌性腹水患者に対して本治療を実施することの治療効果が認められつつあり、癌性腹水患者に対する施行機会が増加している。しかし癌性腹水は一般的に肝性腹水よりタンパク質濃度が濃い傾向があるため、前記のような追加濃縮工程が必要な場合が頻発していた。
【０００６】
また、特許文献１には、濃縮フィルタの廃液側に設けられた吸引装置により濃縮する方法において、濃縮フィルタの下流に陰圧発生装置を設置し、堆積物の堆積を抑制する方法が開示されているが、この方法においても吸引装置の途中に設けられた圧開放ラインを開放し、濃縮器にかかる吸引圧を開放させる、施行者による対応が必要であった。
【０００７】
本発明は、上記従来法の問題点に対し、腹水などの希薄なタンパク質溶液を濃縮し、濃厚なタンパク質溶液を得る方法において、目詰まりによる処理速度低下をきたさず、追加濃縮工程など施行者の負担なしで高いタンパク質濃度の濃厚タンパク質溶液を得る腹水濾過濃縮装置及び高濃度タンパク質溶液の製造方法を提供することにある。
【課題を解決するための手段】
【０００８】
本発明者らは、濃縮器の目詰まりには装置に用いる濃縮フィルタの限外濾過性能が関係することを見出し、腹水を濃縮処理するのにも最適な限外濾過性能を有する濃縮用フィルタを用いた装置とすることによって濃縮速度の低下が抑えられ、またタンパク質を損失することなく高倍率にまで濃縮できることを見出し、本発明を完成するに至った。すなわち、本発明は以下に関する。
【０００９】
〔１〕
細胞成分を含む採取されたタンパク質溶液を貯留する貯留容器と、
前記貯留容器内のタンパク質溶液中に存在する前記細胞成分を分離可能な中空糸膜型の腹水濾過用フィルタと、
一端が前記貯留容器に接続され他端が前記腹水濾過用フィルタの入口に接続された第１の流路と、
限外濾過性能が85mL〜150mL／分／200mmHgであり親水性高分子が付与されたポリスルホン系中空糸膜型の腹水濃縮用フィルタと、
前記腹水濾過用フィルタの濾過側出口に接続され、他端が前記腹水濃縮用フィルタの入口に接続された第２の流路と、
前記腹水濾過用フィルタの出口に接続された第３の流路と、
前記腹水濃縮用フィルタで濃縮されたタンパク質溶液を回収する回収容器と、
一端が前記腹水濃縮用フィルタの出口に接続され、他端が前記回収容器に接続された第４の流路と、
前記腹水濃縮用フィルタの濾過側出口に接続された第５の流路と、
を備えた、腹水濾過濃縮装置。
【００１０】
〔２〕
前記貯留容器内に貯留された前記タンパク質溶液を前記第１の流路を通して前記腹水濾過用フィルタに送液し、前記細胞成分が除去された濾過済タンパク質溶液を前記腹水濾過用フィルタの濾過側出口から前記第２の流路に送出させるとともに、前記細胞成分を含む溶液を前記腹水濾過用フィルタの出口から第３の流路に排出させるステップと、
前記第２の流路に送出された前記濾過済タンパク質溶液を前記腹水濃縮用フィルタに送液し、濃縮された濃厚タンパク質溶液を前記腹水濃縮用フィルタの出口から第４の流路に送出させるとともに、水溶液を前記腹水濃縮用フィルタの濾過側出口から第５の流路に水溶液を排出させるステップと、
前記第４の流路に送出された前記濃厚タンパク質溶液を、前記回収容器に回収するステップと、を行い、
前記第１〜第５の流路のうちの少なくとも１つの流路の流量を制御する制御手段を更に備える、請求項１に記載の腹水濾過濃縮装置。
【００１１】
〔３〕
前記制御手段は、前記第１の流路に設けられた送液ポンプを含む、請求項２に記載の腹水濾過濃縮装置。
【００１２】
〔４〕
前記腹水濾過用フィルタは、該腹水濾過用フィルタの入口における液体の落差圧が前記貯留容器と前記第１の流路との接続部における液体の落差圧よりも低くなるような位置に配置され、かつ、
前記回収容器は、該回収容器と前記第４の流路との接続部における液体の落差圧が前記腹水濃縮用フィルタの出口における液体の落差圧よりも低くなるような位置に配置された、請求項１に記載の腹水濾過濃縮装置。
【００１３】
〔５〕
前記腹水濃縮用フィルタは、該腹水濃縮用フィルタの入口における液体の落差圧が前記腹水濾過用フィルタの濾過側出口における液体の落差圧と等しくなるような位置に配置された、請求項４に記載の腹水濾過濃縮装置。
【００１４】
〔６〕
前記腹水濃縮用フィルタは、該腹水濃縮用フィルタの入口における液体の落差圧が前記腹水濾過用フィルタの濾過側出口における液体の落差圧よりも低くなるような位置に配置された、請求項４に記載の腹水濾過濃縮装置。
【００１５】
〔７〕
前記腹水濃縮用フィルタの限外濾過性能が腹水の濃縮処理に最適なものであることから、腹水の濃縮が１回で足り、追加濃縮工程を必要としないことを特徴とする、請求項１〜６のいずれか１項に記載の腹水濾過濃縮装置。
【００１６】
〔８〕
前記腹水濃縮用フィルタによる１回の濃縮で、タンパク質濃度を５倍以上に濃縮することが可能なことを特徴とする、請求項１〜７のいずれか１項に記載の腹水濾過濃縮装置。
【００１７】
〔９〕
前記腹水濃縮用フィルタによる１回の濃縮で、タンパク質濃度が７ｇ／ｄｌ以上の濃厚タンパク質溶液を得られることを特徴とする、請求項１〜８のいずれか１項に記載の腹水濾過濃縮装置。
【００１８】
〔１０〕
細胞成分を含む採取されたタンパク質溶液を貯留する貯留容器と、
前記貯留容器内のタンパク質溶液中に存在する前記細胞成分を分離可能な中空糸膜型の腹水濾過用フィルタと、
一端が前記貯留容器に接続され他端が前記腹水濾過用フィルタの入口に接続された第１の流路と、
時間当たりのタンパク質濃縮倍率が０．１倍／分以上であり親水性高分子が付与されたポリスルホン系中空糸膜型の腹水濃縮用フィルタと、
前記腹水濾過用フィルタの濾過側出口に接続され、他端が前記腹水濃縮用フィルタの入口に接続された第２の流路と、
前記腹水濾過用フィルタの出口に接続された第３の流路と、
前記腹水濃縮用フィルタで濃縮されたタンパク質溶液を回収する回収容器と、
一端が前記腹水濃縮用フィルタの出口に接続され、他端が前記回収容器に接続された第４の流路と、
前記腹水濃縮用フィルタの濾過側出口に接続された第５の流路と、
を備えた、腹水濾過濃縮装置。
【００１９】
〔１１〕
タンパク質濃度が５g/dL以下の低濃度タンパク質溶液を貯留容器に貯留する工程と、
前記貯留容器に貯留された前記低濃度タンパク質溶液を、限外濾過性能が85mL〜150mL／分／200mmHgであり親水性高分子が付与されたポリスルホン系中空糸膜型フィルタに通液させ、前記フィルタの濾過側出口からタンパク質濃度が100mg/dL以下である低濃度タンパク質溶液を送出させるとともに、前記フィルタの出口からタンパク質濃度が７g/dL以上である高濃度タンパク質溶液を送出させる工程と、
前記フィルタの出口から送出された前記高濃度タンパク質溶液を回収容器に回収する工程と、を含む、高濃度タンパク質溶液の製造方法。
【発明の効果】
【００２０】
本発明の腹水濾過濃縮装置及び高濃度タンパク質溶液の製造方法は、高効率に濃縮できるよう、最適な限外濾過性能を有するフィルタを用いることを特徴としているため、濃縮速度の低下はほとんど発生しない。よって施行者の手技を容易にでき、また短時間で処理が完了する。
【図面の簡単な説明】
【００２１】
【図１】本発明の腹水濾過濃縮装置の第１実施形態を示す図である。
【図２】本発明の腹水濾過濃縮装置の第２実施形態を示す図である。
【図３】本発明の腹水濾過濃縮装置の第３実施形態を示す図である。
【図４】濃縮用フィルタに係る腹水濃縮性能の試験装置を示す図である。
【発明を実施するための形態】
【００２２】
以下、本発明を実施するための最良の形態（以下、「本実施の形態」という。）について詳細に説明する。なお、本発明は、以下の実施の形態に限定されるものではなく、その要旨の範囲内で種々変形して実施できる。
【００２３】
（第１実施形態）
本発明の第１実施形態として、図１に示す腹水濾過濃縮装置１００の構成及び当該装置１００を用いて腹水（タンパク質溶液）を濾過濃縮し濃厚タンパク質溶液（高濃度タンパク質溶液）を得る方法の一例を示す。
【００２４】
まず、患者の腹水は貯留容器１に採取され貯留される。一般に、腹水は、タンパク質濃度が５g/dL以下の低濃度タンパク質溶液である。貯留容器１の出口１ｂは、第１流路３１と接続され、当該第１流路３１を介して濾過用フィルタ３の入口３ａと接続される。貯留容器１の腹水は第１流路３１を介し、濾過用フィルタ３に供給される。濾過用フィルタ３の中で、細胞成分は濾過膜を通過できないため、濾過用フィルタ３の濾液出口３ｃからは細胞成分が除かれた、タンパク質を含む濾過後腹水が排出される。濾過用フィルタ３の出口３ｂには第３流路３３が接続されており、細胞成分を含む腹水の一部は、第３流路３３を通じて装置１００外に排出される。濾液出口３ｃは、第２流路３２を介して濃縮用フィルタ４の腹水流入口４ａに接続されており、濾液出口３ｃから排出される濾過後腹水は、第２流路３２を介して濃縮用フィルタ４に導入される。
【００２５】
濃縮用フィルタ４の中では濾過後腹水の水分などが濾別され、濾液排出口４ｃに接続された第５流路３５より装置１００外に排出される。ここで濾液排出口４ｃから排出される液体は、タンパク質濃度が100mg/dL以下である低濃度タンパク質溶液である。濃縮用フィルタ４の孔径は、濾過用フィルタ３の孔径よりも小さい。濾過後腹水に含まれていたタンパク質は濾過膜を通過せず濃縮用フィルタ４内に保持されるので、上記の水分の排出によって濾過後腹水のタンパク質濃度が高まり、濃厚タンパク質溶液として濃縮用フィルタ４の濃縮液出口４ｂより排出される。濃縮用フィルタ４の濃縮液出口４ｂは、第４流路３４を介して回収容器２の入口２ａに接続されており、濃縮液出口４ｂより排出された濃厚タンパク質溶液は、第４流路３４を介して回収容器２に回収される。ここで回収される濃厚タンパク質溶液は、少なくとも貯留容器１の腹水よりもタンパク質濃度が高い高濃度タンパク質溶液であり、例えば、タンパク質濃度が７g/dL以上である。
【００２６】
貯留容器１及び回収容器２は液体を貯留することができればどのようなものでもよいが、通常、取り扱い性の観点から、ポリ塩化ビニル製のバッグが用いられる。容器の大きさは採取してきた腹水の量などにより決定される。
【００２７】
濾過用フィルタ３は細胞成分と水分、及び電解質やタンパク質などの溶質成分を分離できれば特に限定されるものではない。フィルタの構造、形状、寸法としては、貯留容器１または濃縮用フィルタ４と接続する流路と接続ができる腹水流入口、及び濾過腹水出口を備えていれば制限はない。また濾過用フィルタ３に用いられる中空糸について、素材は特に限定はなく、製膜時に孔径制御がしやすく且つ化学的安定性に優れる理由から、ポリエチレンなどのポリオレフィン系、ポリスルホン系、再生セルロース系、ポリビニルアルコール系などが好ましい。これら例示した中空糸素材には他の材料が含有されていても良く、また化学的に修飾されていても良い。通常、孔径が0.2μｍ以下で、かつタンパク質の透過率が80％以上である中空糸膜フィルタが用いられる。
【００２８】
図１は濾過用フィルタ３を内圧濾過方式で使用し、腹水濾過を行っているが、細胞成分を濾別することができれば、外圧濾過方式とすることもできる、また第３流路３３を封止し、デッドエンド方式で濾過することもできるし、第３流路３３を開放しクロスフロー方式とすることもできる。
【００２９】
本発明の装置を構成するそれぞれの流路３１〜３５も貯留容器１、回収容器２、濾過用フィルタ３および濃縮用フィルタ４と接続できるものであれば材質、寸法などに限定はない。通常、流路３１〜３５を形成するチューブとして、ポリ塩化ビニルなどから製造される軟質チューブが用いられる。
【００３０】
貯留容器１から濾過用フィルタ３への腹水の送液はどのような手段でもよい。例示するならば、図１に示すように第１流路３１にポンプ５を設置し送液しても良い。ポンプ５としてはローラーポンプや輸液ポンプなどが一般的に用いられる。この場合、ポンプ５の駆動を制御する制御装置４１を設けても良い。制御装置４１は、ポンプ５の駆動を制御することにより、第１流路３１における腹水の流量（単位時間当たりの送液量）を制御する。制御装置４１は、例えばコンピュータであり、所望の制御に係る情報を施行者に入力させる入力端末を兼ねてもよい。また、第２流路３２および第３流路３３上にも送液ポンプを追加してもよい。
【００３１】
第４流路３４の途中に制御部１４が設置され、第５の流路３５途中に制御部１５が設置されている。制御部１４は第４流路３４の流量を調整し、制御部１５は第５流路３５の流量を調整する。制御部１４，１５によって、濃縮用フィルタ４の濾液の排出量と濃厚タンパク質溶液の量とのバランスを調整し、濃縮倍率を調整することができる。
【００３２】
制御部１４及び１５は、濃縮用フィルタ４に供給された腹水のうち、濃縮用フィルタ４から濾過されて濃縮液出口４ｂから排出される濾液量と、回収容器２に向かう液量と、のバランスを制御できればどのようなものでもよい。制御部１４，１５は、例示すれば、ローラークランプなどの流路を圧迫し流路抵抗を調整し制御するものでもよく、一定の陰圧又は陽圧をかけることで各流路３４，３５の流量を制御するものでもよく、またローラーポンプや輸液ポンプ等といったような流量を制御する装置であってもよい。濃縮用フィルタ４から濾過されて排出される液量と回収容器に向かう液量のバランスを制御できれば制御部１４，１５はいずれかのみが存在してもよい。また、制御部１４，１５を制御装置４１からの制御信号で駆動するものとして流路３４，３５の流量を制御装置４１で制御するものとしてもよい。
【００３３】
図１に示す装置１００では、第１流路３１が濾過用フィルタ３の下方に接続され、第３流路３３が濾過用フィルタ３の上方に接続されているが、これを逆にしても同様の効果が得られる。また、第２流路３２は、濾過用フィルタ３の中空糸外側室部分に通じていれば、いずれの位置に接続されていてもよい。
【００３４】
本発明で用いられる濃縮用フィルタ４の限外濾過性能は85mL〜150mL／分／200mmHgである。限外濾過性能がこの範囲以下であると、濃縮中に濾液の排出量が低下し、十分に濃縮されたタンパク質溶液が得られない。また95ｍL／分／200mmHg以上であればより目詰まりのおそれが低く、好ましい。150ｍL／分／200mmHg以上であるとタンパク質が濾液中に漏れ出てしまい、十分な濃度のタンパク質濃度が得られないので適さない。
【００３５】
本発明の限外濾過性能とは、以下に示すような試験により規定される。タンパク質濃度を6g／dLに調整した牛血漿を用意し、ローラーポンプにより毎分200mLの定速で濃縮用フィルタに送液する。このとき、濃縮器の濾液排出口は開放状態である。濃縮用フィルタの回収液出口に接続した回路を圧迫し、フィルタ内外にかかる圧力差（以下、TMPとも言う）が200mmHgとなるよう調整する。このとき、濾液排出口から排出される濾液の時間当たり容積を測定する。TMPは以下のように算出する。
TMP=（フィルタ入口側の圧力＋フィルタ出口側の圧力）／２−濾液側圧力
【００３６】
また本発明では、濃縮効率の観点から中空糸膜を用いたフィルタを用いる。ここで言う中空糸膜は、その形状、寸法は特に限定されるものでは無く、上記限外濾過性能を有するものであれば良い。材質については、製膜時に孔径制御がしやすく且つ化学的安定性に優れる理由から、ポリスルホン系がよい。ポリスルホン系高分子は、芳香族化合物であることから放射線耐性に特に優れており、また、熱や化学的処理にも非常に強く、安全性にも優れている。従って、様々な製膜条件を採択できるとともに放射線滅菌が可能となり、腹水濃縮器に用いる膜材質として特に好ましい。なお、「〜系」とは、ホモポリマーのみではなく、他のモノマーとの共重合体や化学修飾された類縁体も含むという意味である。
【００３７】
ここで言うポリスルホン系高分子（以下、ＰＳｆと称することがある）とは、スルホン結合を有する高分子化合物の総称であり、特に規定するものではないが、例えば、繰返し単位が下記の式（１）、式（２）、式（３）、式（４）および式（５）で示されるポリスルホン系ポリマーが挙げられる。これらの芳香環の一部に置換基が導入された修飾ポリマーであっても構わない。工業的に入手し易い点から、繰返し単位が式（１）、式（２）および式（３）で示される芳香族ポリスルホン系ポリマーが好ましく、中でも（１）式で示す化学構造を持つポリスルホンが特に好ましい。このビスフェノール型ポリスルホン樹脂は、例えばソルベイ・アドバンスド・ポリマーズより「ユーデル（登録商標）」の商品名で市販されており、重合度等によっていくつかの種類が存在するが特に限定するものではない。
【００３８】
【化１】
0005856821.tif 000002
【００３９】
本発明におけるポリスルホン系中空糸膜は、親水性高分子により、親水性を持たせたものが好ましい。ポリスルホン系高分子だけでは中空糸膜表面が疎水性となり、このような表面にはタンパク質が吸着しやすく、タンパク質の回収性能を低下させる原因になるためである。親水性高分子としては、ポリビニルピロリドン（以下、ＰＶＰと称することがある）や、ポリエチレングリコール、ポリビニルアルコール、ポリプロピレングリコール等が挙げられるが、中でもＰＶＰが親水化の効果や安全性の面より好ましい。ＰＶＰについても分子量等によっていくつかの種類が存在し、例えば、市販品としてＰＶＰのＫ−１５、３０、９０（いずれもアイ・エス・ピー（ＩＳＰ）社製）等を挙げることができる。本発明で使用するＰＶＰの分子量（粘度平均分子量）は１万〜２００万、好ましくは５万〜１５０万である。親水性高分子の膜中の含有率はポリマー全量の３〜２０％、好ましくは３〜１０％である。含有率が３％以下の場合には親水化剤としての効果が薄れ、また含有率が２０％を越えた場合には製膜原液の粘度が上がりすぎるため生産上好ましくない。
【００４０】
親水化されたポリスルホン中空糸膜の製造方法は、公知の乾湿式製膜技術を利用できる。まず、ポリスルホン系高分子とポロビニルピロリドンなどの親水性高分子を両方に共通の溶媒に溶解し、均一な紡糸原液を調製する。このような共通溶媒としては、親水性高分子がポリビニルピロリドンの場合には、例えば、ジメチルアセトアミド（以下、ＤＭＡＣと称する）、ジメチルスルホキシド、Ｎ−メチル−２−ピロリドン、ジメチルホルムアミド、スルホラン、ジオキサン等の溶媒、あるいは上記溶媒２種以上の混合液からなる溶媒が挙げられる。なお、孔径制御のため、紡糸原液には水などの添加物を加えても良い。
【００４１】
中空糸膜を製膜するに際しては、チューブインオリフィス型の紡糸口金を用い、該紡糸口金のオリフィスからの紡糸原液と、チューブからの中空内液と、を同時に空中に吐出させる。中空内液は紡糸原液を凝固させる為のものであり、水、または水を主体とした凝固液が使用できる。中空内液は、目的とする中空糸膜の限外濾過性能などの性能に応じてその組成等は決めていけば良く、一概には決められないが、一般的には紡糸原液に使った溶剤と水との混合溶液が好適に使用される。例えば、中空内液として、０〜６５重量％のＤＭＡＣ水溶液などが用いられる。紡糸口金から中空内液とともに吐出された紡糸原液は、空走部を走行し、紡糸口金下部に設置した水を主体とする凝固浴中へ導入、浸漬されて凝固が完了する。その後、凝固した中空糸の洗浄工程等を経て、湿潤状態の中空糸膜巻き取り機で巻き取り、中空糸膜の束を得、その後乾燥する。あるいは、洗浄工程を経て、続いて乾燥機内にて乾燥を行い、中空糸束を得ても良く、製造方法を特定するものではない。
【００４２】
中空糸を用いたフィルタの製造方法に関しても公知の方法を利用すればよい。例えば、中空糸膜束を流体の出入口を持つ筒状の容器へ挿入し、両束端にポリウレタン等のポッティング剤を注入してポッティング層を形成して両端をシールした後、硬化後の余分なポッティング剤を切断除去し中空糸端面を開口させ、流体の出入口を持つヘッダーを取り付けることにより製造できる。この方法により中空糸膜束が容器に充填され、中空糸膜内側室と中空糸膜外側室とが形成され、中空糸膜内側室に通じる流体出入口および中空糸膜外側室に通じる流体出入口を持つ中空糸膜型濃縮フィルタが製造できる。
【００４３】
本発明の装置及び方法により得られる濃厚タンパク質溶液のタンパク質濃度は7g／dL以上である。この濃度以下であると、患者に投与しても、患者の血中タンパク質濃度上昇効果が低く、患者が再度腹水を貯留してしまいやすいなどの弊害がある。またタンパク質濃度は10g／dL以上とすることが上記効果から好ましい。
【００４４】
本発明の装置及び方法は、追加濃縮工程なしに、短時間で、タンパク質濃度を５倍程度まで濃縮することを可能としたものである。濃縮後のタンパク質濃度を、初期のタンパク質濃度で割った値をタンパク質濃縮倍率とし、タンパク質濃縮倍率を、濃縮後のタンパク質溶液の液量が初期のタンパク質溶液の液量の５分の１以下に達するのに必要な時間(分)で割った値を、時間当たりのタンパク質濃縮倍率とすると、時間当たりのタンパク質濃縮倍率は、０．１０倍／分以上であることが好ましく、０．１５倍／分以上であることがより好ましい。
【００４５】
（第２実施形態）
図２に示す腹水濾過濃縮装置２００は、各構成部位における液体の落差圧により腹水を送液するようにしたものである。落差圧を利用した送液を行うために、腹水濾過濃縮装置２００では、濾過用フィルタ３の入口３ａにおける液体の落差圧が、貯留容器１の出口１ｂにおける液体の落差圧よりも低くなるように配置され、かつ、回収容器２の入口２ａにおける液体の落差圧が、濃縮用フィルタ４の濃縮液出口４ｂにおける液体の落差圧よりも低くなるように配置されている。また、濃縮用フィルタ４の腹水流入口４ａにおける液体の落差圧が、濾過用フィルタ３の濾液出口３ｃにおける液体の落差圧よりも低くなるように配置されている。
【００４６】
上記のような配置の具体例として、図２に示すように、濾過用フィルタ３と貯留容器１とは、入口３ａの上下位置が出口１ｂの上下位置よりも低くなるような位置関係で配置される。回収容器２と濃縮用フィルタ４とは、入口２ａの上下位置が濃縮液出口４ｂの上下位置よりも低くなるような位置関係で配置される。また、濃縮用フィルタ４と濾過用フィルタ３とは、腹水流入口４ａの上下位置が濾液出口３ｃの上下位置よりも低くなるような位置関係で配置される。以上のような配置により、各流路３１〜３５で落差圧を利用した送液が行われるので、ポンプ５や制御装置４１（図１参照）を省略することもできる。なお、図２に表わされる各部位の上下位置関係は、実際の腹水濾過濃縮装置２００の各部位の上下位置関係にそのまま対応するものとする。また、腹水濾過濃縮装置２００において、前述の腹水濾過濃縮装置１００と同一又は同等な構成部分には同一符号を付し重複する説明を省略する。
【００４７】
（第３実施形態）
図３に示す腹水濾過濃縮装置３００では、濃縮用フィルタ４の腹水流入口４ａにおける液体の落差圧が、濾過用フィルタ３の濾液出口３ｃにおける液体の落差圧と等しくなるように配置されている。具体的には、濃縮用フィルタ４と濾過用フィルタ３とは、腹水流入口４ａの上下位置が濾液出口３ｃの上下位置と同じ高さになるような位置関係で配置される。これ以外の部位の位置関係は前述の腹水濾過濃縮装置２００と同様である。なお、図３に表わされる各部位の上下位置関係は、実際の腹水濾過濃縮装置３００の各部位の上下位置関係にそのまま対応するものとする。また、腹水濾過濃縮装置３００において、前述の腹水濾過濃縮装置２００と同一又は同等な構成部分には同一符号を付し重複する説明を省略する。
【００４８】
以上説明した腹水濾過濃縮装置１００，２００，３００及び高濃度タンパク質溶液の製造方法によれば、濃縮用フィルタ４が、腹水を濃縮処理するのに最適な限外濾過性能を有するので、濃縮速度の低下が抑えられ、またタンパク質を損失することなく高倍率にまで濃縮することができる。また、濃縮用フィルタ４の最適な限外濾過性能ゆえに、濃縮速度の低下はほとんど発生しない。よって施行者の手技を容易にでき、また短時間で処理が完了するので、患者は早くタンパク質溶液の投与を受けることができ、拘束時間が短い。
【実施例】
【００４９】
以下、実施例に従って本発明を更に詳細に説明するが、本発明はこれらに限定されるものではない。
【００５０】
以下、腹水濃縮性能の試験の方法を示す。3g／dLの総タンパク質濃度に調整した牛血漿を擬似腹水とし、3L用意した。擬似腹水として細胞成分のない牛血漿を用いていることから、本擬似腹水は濾過器を通過したものとみなすことができるため、本試験では濾過器を省略しても結果に影響はないと判断し、濾過用フィルタ３は省略した方法で実施した。すなわち、図４に示す試験装置４００によって、実施例・比較例に係る各濃縮用フィルタ５４の性能試験を行った。試験装置４００は、図１に示す装置１００において、第１流路３１と第２流路３２とを、濾過用フィルタ３を介さずに直接接続する構造としたものである。貯留容器１及び回収容器２にはポリ塩化ビニル製のバッグを用い、おのおのの流路にはポリ塩化ビニル製のチューブ、ポンプ５にはローラーポンプ、制御部１５としてローラークランプを用いた。ポンプ５を毎分100mLの流量となるよう調整し、擬似腹水を濃縮用フィルタ５４へ導入した。
【００５１】
濃縮目標については、濃厚タンパク質溶液として15g/dL程度のタンパク質濃度を得るために、濃厚タンパク質溶液のタンパク質濃度が、被処理液のタンパク質濃度の5倍程度になるまで濃縮することを目標とした。タンパク質濃度を5倍程度に濃縮するため、濃厚タンパク質溶液の液量が、被処理液の液量の5分の1以下になるよう調節を行った。具体的には、濃縮用フィルタ５４の濾液排出口４ｃより排出される廃液の流量と、濃縮用フィルタ５４の上方に設置した回収容器２への流入量と、をローラークランプ１５の流路３５圧迫度によって調整しながら、擬似腹水の濃縮を行った。3Lの擬似腹水全てを濃縮用フィルタ５４へ導入したところ、すなわち30分後にローラーポンプを停止し、回収容器２に回収された液量を重量法で測定し、液量が被処理液の５分の１以下に達していればここで処理を終了し、達していなければ、回路、ローラーポンプを組み替え、回収容器２内の回収液の追加濃縮を行った。追加濃縮量は、濃厚タンパク質溶液の液量が被処理液の５分の１以下に達するのに必要な、残り廃液量を計算し、これに基づき実施した。各フィルタの評価は追加濃縮が必要であったか否かと、目標までの濃縮処理にかかった時間、及び回収された濃厚タンパク質溶液のタンパク質濃度を指標とした。
【００５２】
[実施例１]
ポリスルホン樹脂（ソルベイ社製、Ｐ−１７００）1８重量部、ポリビニルピロリドン（以下PVPとも言う）（日本触媒社製、Ｋ−８５N）５重量部、Ｎ，Ｎ−ジメチルアセトアミド（以下、DMACとも言う）77重量部からなる均一な製膜原液を作成した。４０重量％のＮ，Ｎ−ジメチルアセトアミド水溶液を中空内液と同時に二重紡口から押し出し、外界から遮断するためにとりつけたフードの中を通って３０ｃｍ下方に設けた５０℃の水からなる凝固浴中に浸漬し５０ｍ／ｍｉｎの速度で巻取った。得られた中空糸膜は２０重量％のグリセリン水溶液で処理した後、７５℃で乾燥した。膜面積１．５ｍ２になるように中空糸膜束を調整し、筒状容器に装填し、両端をポリウレタン樹脂でポッティング加工してポリスルホン中空糸膜フィルタを作製した。本フィルタの限外濾過性能は107ｍL／分／200mmHgであった。本フィルタを前述の濃縮用フィルタ５４として腹水濃縮性能試験に供したところ、全ての擬似腹水を追加濃縮せずに液量が被処理液の5分の1以下になるまで処理することができ、追加濃縮工程は不要であった。よって濃縮時間は３０分である。時間当たりのタンパク質濃縮倍率は、０．１７倍／分であった。得られたタンパク質溶液の濃度を表１に示す。
【００５３】
[実施例２]
膜面積を１．１ｍ２になるようにした以外は実施例１と同じ方法で、ポリスルホン中空糸膜フィルタを作製した。本フィルタの限外濾過性能は88ｍL／分／200mmHgであった。本フィルタを前述の濃縮用フィルタ５４として腹水濃縮性能試験に供したところ、全ての擬似腹水を処理し、回収液量を測定したところ、全ての擬似腹水を追加濃縮せずに液量が被処理液の5分の1以下になるまで処理することができ、追加濃縮工程は不要であった。よって濃縮時間は３０分である。時間当たりのタンパク質濃縮倍率は０．１７倍／分であった。得られたタンパク質溶液の濃度を表１に示す。
【００５４】
[実施例３]
膜面積を２．１ｍ２になるようにした以外は実施例１と同じ方法で、ポリスルホン中空糸膜フィルタを作製した。本フィルタの限外濾過性能は134ｍL／分／200mmHgであった。本フィルタを前述の濃縮用フィルタ５４として腹水濃縮性能試験に供したところ、全ての擬似腹水を処理し、回収液量を測定したところ、全ての擬似腹水を追加濃縮せずに液量が被処理液の5分の1以下になるまで処理することがで、追加濃縮工程は不要であった。よって濃縮時間は３０分である。時間当たりのタンパク質濃縮倍率は０．１６倍／分であった。得られたタンパク質溶液の濃度を表１に示す。
【００５５】
[比較例1]
限外濾過性能が77ｍL／分／200mmHgである旭化成クラレメディカル社製の腹水濃縮器、AHF-UNH（ポリアクリロニトリル中空糸、1.1ｍ２）を用い、当該濾過器を前述の濃縮用フィルタ５４に適用して腹水濃縮性能試験を実施した。全ての擬似腹水を処理し、回収液量を測定したところ、液量が被処理液の5分の1以下に達しておらず、追加濃縮工程が必要であった。追加濃縮工程により、液量が被処理液の5分の1以下に達するのに、３０分の時間を要したため、濃縮時間は1時間であった。時間当たりのタンパク質濃縮倍率は０．０９倍／分であった。得られたタンパク質溶液の濃度を表１に示す。
【００５６】
[比較例2]
ＰＳｆ（ソルベイ社製、Ｐ−１７００）１８重量部、ＰＶＰ（日本触媒社製、Ｋ−８５N）４．５重量部、ジメチルアセトアミド７７．５重量部からなる均一な紡糸原液を作成した。ＤＭＡＣ５７％水溶液の中空内液と同時に二重紡口から押し出し外界から遮断するためにとりつけたフードの中を通って９０ｃｍ下方に設けた水よりなる７５℃の凝固浴に浸漬し、４０ｍ／分の速度で巻き取った。得られた中空糸膜は４０重量％のグリセリン水溶液で処理した後、80 ℃で乾燥した。
【００５７】
膜面積2.0ｍ２になるように中空糸膜束を調整し、筒状容器に装填し両端をポリウレタン樹脂でポッティング加工してポリスルホン中空糸膜フィルタを作製した。本フィルタの限外濾過性能は170ｍL／分／200mmHgであった。本フィルタを前述の濃縮用フィルタ５４として腹水濃縮性能試験に供したところ、３０分程度で、被処理液の５分の１液量のタンパク質溶液を得た。しかし、タンパク質は濃縮されておらず、得られたタンパク質溶液のタンパク質濃度は処理前とほぼ同じであった。時間当たりのタンパク質濃縮倍率は０．０３倍／分であった。得られたタンパク質溶液の濃度を表１に示す。
【００５８】
【表１】
0005856821.tif 000003
【００５９】
実施例１、２では、追加濃縮工程なく、また7g／dL以上の濃いタンパク質溶液を得ることができた。一方限外濾過性能が低いフィルタを使用した比較例１では追加濃縮工程が必要で、濃縮に時間がかかる。また、限外濾過性能が非常に高いフィルタを用いた比較例２では、タンパク質が濃縮されておらず、低いタンパク質濃度のタンパク質溶液しか得られない。
【００６０】
以上より、本発明の装置及び方法を実施すると、短時間で、高濃度のタンパク質溶液を得ることができる。
【符号の説明】
【００６１】
１…貯留容器、１ｂ…出口（貯留容器と第１流路との接続部）、２…回収容器、２ａ…入口（回収容器と第４流路との接続部）、３…濾過用フィルタ、３ａ…濾過用フィルタの入口、３ｂ…濾過用フィルタの出口、３ｃ…濾液出口（腹水濾過用フィルタの濾過側出口）、４…濃縮用フィルタ、４ａ…腹水流入口（腹水濃縮用フィルタの入口）、４ｂ…濃縮液出口（腹水濃縮用フィルタの出口）、４ｃ…濾液排出口（腹水濃縮用フィルタの濾過側出口）、５…ポンプ（制御手段）、１４，１５…制御部（制御手段）、３１…第１流路、３２…第２流路、３３…第３流路、３４…第４流路、３５…第５流路、４１…制御装置（制御手段）、１００，２００，３００…腹水濾過濃縮装置。
【図１】
0005856821.tif 000004
【図２】
0005856821.tif 000005
【図３】
0005856821.tif 000006
【図４】
0005856821.tif 000007